(57)【要約】【課題】簡単な構成で且つ確実に押し込み位置でロックされた押しボタンスイッチを操作者が前面側からの操作によってはロック解除を不可能とすることができる押しボタンスイッチを実現するためのロック解除防止具を提供する。【解決手段】ロック解除防止具１０は、押しボタンスイッチ１の操作部３を外囲する筒状ベース体１２と、操作部３の操作面及び外周面を覆う筒状カバー体１１とを備える。カバー体１１には第１係合爪１７設けられ、筒状ベース体１２には第１係合爪１７に係合する第２係合爪１９が設けられ、押しボタンスイッチ１が押し込み位置に達したときに、第１係合爪１７と第２係合爪１９とが係合してロック状態とされる。押し込み位置では、カバー体１１の前面部１１Ａが筒状ベース体１２内に没入しており、しかも、カバー体１１の外周面と筒状ベース体１２内周面の間は、指若しくはドライバー等の治具を挿入できない微少な間隙に維持されている。【選択図】  図２
2007188752.tif 000002
【特許請求の範囲】
【請求項１】
操作パネル盤に取り付けられた押しボタンスイッチの操作部に装着され、押しボタンスイッチを一度押し込み操作するとその押し込み位置でロックされ、操作者が前面側からの操作によってロック状態を解除することを不可能とする押しボタンスイッチ用ロック解除防止具であって、
前記操作パネル盤から前方側に露出した押しボタンスイッチの操作部に装着され、押しボタンスイッチの操作部を外囲する筒状ベース体を備え、
前記筒状ベース体はその内周面が前記操作部外周面と所定の間隙をあけるようにして外装されており、且つ、筒状ベース体の前方側端面が、押し込み位置でロックされた押しボタンスイッチの操作面に対して同一位置又は前方側に位置するように構成されていることを特徴とする押しボタンスイッチ用ロック解除防止具。
【請求項２】
押しボタンスイッチの操作部の操作面及び外周面を覆うカバー体を備え、カバー体には第１係合手段が設けられ、前記筒状ベース体には前記第１係合手段に係合する第２係合手段が設けられ、
前記カバー体を押し込んで押しボタンスイッチが押し込み位置に達したときに、カバー体の第１係合手段が前記筒状ベース体の第２係合手段に係合して、前記押しボタンスイッチが押し込み位置から前方側への移動することを規制するように構成された請求項１記載の押しボタンスイッチ用ロック解除防止具。
【請求項３】
前記押しボタンスイッチはプッシュ・プル形又はプッシュロック・ターンリセット形押しボタンスイッチである請求項１記載の押しボタンスイッチ用ロック解除防止具。
【請求項４】
押し込み位置でロックされた押しボタンスイッチを吸着手段又は接着手段によって引き出すことを防止すべく、吸着手段又は接着手段の吸着又は接着を無効にする無効化手段を備えた請求項１〜３の何れかに記載の押しボタンスイッチ用ロック解除防止具。
【発明の詳細な説明】
【技術分野】
【０００１】
本発明は、操作パネル盤に取り付けられた押しボタンスイッチの操作部に装着され、押しボタンスイッチを一度押し込み操作するとその押し込み位置でロックされ、操作者の操作によってはロック状態を解除することを不可能とする押しボタンスイッチ用ロック解除防止具に関する。
【背景技術】
【０００２】
従来の押しボタンスイッチには、誤操作防止のためにスイッチガードが用いられている。このスイッチガードは、図１３に示すように、ベース体５０とカバー体５１とを備え、操作盤に取り付けられた押しボタンスイッチ５２の操作部に装着されている。そして、通常時にはカバー体５１を閉鎖しておき、誤操作を防止し、操作時にはカバー体５１を開けて押しボタンスイッチ５２を操作している。また、スイッチガードにおいて単一の部品構成でスプリングリターン方式と位置保持方式の両方の開閉方式に対応できるようにした構成のものが提案されている（実開平７−３４５２７号公報参照）。
【０００３】
ところで、押しボタンスイッチは、例えば非常用停止スイッチとして用いられる場合があり、異常発生時やメンテンナンス等のため装置の作動を停止するために押圧操作され、この場合には押し込み位置でロックされたままとなっている。
上記ロック状態は、例えばオルタネイト形押しボタンスイッチの場合、再度押圧操作することにより解除することができるが、異常を修復するまでは停止状態を維持する必要がある様な装置に押しボタンスイッチを使用する場合には、一度操作すると押し込み位置でロックされ、操作者によってロックを解除できない構成のスイッチであることが要望される。このような押しボタンスイッチを実現しようとすると、例えば押しボタンのロックが可能な従来のオルタネイト形押しボタンスイッチと、図１３に示すスイッチガードとを組み合わせても実現不可能である。なぜなら、従来のスイッチガードは、スイッチの誤操作を防止するために、スイッチをガードしているだけであり、ロック機能は持っておらず、スイッチガードを開けて押しボタンを押せばロック解除できてしまうからである。
そこで、上記の用途に押しボタンスイッチを使用する場合には、押しボタンスイッチに接続されるリレーやシーケンサ等によって回路的に一旦押し込まれたスイッチが元に復帰しても、装置の作動停止状態を維持するように構成されている。しかしながら、このようなリレーやシーケンサ等を用いる場合には、一旦押し込まれたスイッチが元に復帰しても、装置の作動停止状態を維持するための専用の回路や専用の制御プログラムを設けておく必要があり、コストが高くつく。
【０００４】
【特許文献１】実開平７−３４５２７号公報
【発明の開示】
【発明が解決しようとする課題】
【０００５】
なお、上記特許文献１のスイッチガードは、単一の部品構成でスプリングリターン方式と位置保持方式の両方の開閉方式に対応できるようにしたものであり、図１３に示す従来のスイッチガードと同様に、押し込み位置でロックされた押しボタンスイッチのロック解除を防止する機能を有するものではない。従って、図１３に示す従来のスイッチガードと同様に、従来の押しボタンスイッチと組み合わせても、ロック解除防止機能を有する押しボタンスイッチを実現できない。
そこで、従来から、押し込み位置でロックされた押しボタンスイッチのロック状態の解除を防止する機能を、リレーやシーケンサ等の回路的な手段ではなく、機械的な簡単な構成でロック解除を防止する防止具が要望されていた。
【０００６】
本発明は、上記の実情を鑑みて考え出されたものであり、その目的は、簡単な構成で且つ確実に押し込み位置でロックされた押しボタンスイッチを操作者が前面側からの操作によってはロック解除を不可能とすることができる押しボタンスイッチを実現するための押しボタンスイッチ用ロック解除防止具を提供することである。
【課題を解決するための手段】
【０００７】
上記目的を達成するために、本発明のうち請求項１記載の発明は、操作パネル盤に取り付けられた押しボタンスイッチの操作部に装着され、押しボタンスイッチを一度押し込み操作するとその押し込み位置でロックされ、操作者が前面側からの操作によってロック状態を解除することを不可能とする押しボタン用ロック解除防止具であって、前記操作パネル盤から前方側に露出した押しボタンスイッチの操作部に装着され、押しボタンスイッチの操作部を外囲する筒状ベース体を備え、前記筒状ベース体はその内周面が前記操作部外周面と所定の間隙をあけるようにして外装されており、且つ、筒状ベース体の前方側端面が、押し込み位置でロックされた押しボタンスイッチの操作面に対して同一位置又は前方側に位置するように構成されていることを特徴とする。
【０００８】
用語「所定の間隙」とは、押しボタンスイッチを引き出すべく、筒状ベース体と操作部外周面との間に、指又はドライバ等の治具を挿入することができない程度の間隙を意味する。
上記構成により、ロック状態とされる押し込み位置では、押しボタンスイッチの操作面が筒状ベース体と同一位置か若しくは筒状ベース体内に没入しており、しかも、筒状ベース体と押しボタンスイッチの操作部との間は微少な間隙に維持されているので、指若しくはドライバー等の治具を用いて、ロック状態を解除すべく押しボタンスイッチを筒状ベース体から引き抜くことは不可能である。換言すれば、操作パネル盤に取り付けられた状態の押しボタンスイッチのロック状態の解除は不可能な構造となっている。従って、本発明に係るロック解除防止具を用いることにより、従来例のようなリレーやシーケンサ等の回路的な手段ではなく、機械的な簡単な構成で、一旦押し込んで押し込み位置でロック状態にすると、ロック解除不可能な押しボタンスイッチを実現することができる。
【０００９】
請求項２記載の発明は、請求項１記載の押しボタン用ロック解除防止具であって、押しボタンスイッチの操作部の操作面及び外周面を覆うカバー体を備え、カバー体には第１係合手段が設けられ、筒状ベース体には前記第１係合手段に係合する第２係合手段が設けられ、前記カバー体を押し込んで押しボタンスイッチが押し込み位置に達したときに、カバー体の第１係合手段が前記筒状ベース体の第２係合手段に係合して、前記押しボタンスイッチが押し込み位置から前方側へ移動することを規制するように構成されたことを特徴とする。
【００１０】
上記の如く、押し込み位置で第１係合手段と第２係合手段が係合状態となることにより、押しボタンスイッチとして、押し込み力を解除すると元の状態に復帰するモメンタリ形押しボタンスイッチ、若しくはオルタネイト形押しボタンスイッチを使用することができる。
なお、カバー体は押しボタンスイッチの操作部の操作面及び外周面を覆う構成であることから、筒状ベース体の内周面とカバー体外周面との間は、指又はドライバ等の治具を挿入することができない程度の間隙に維持されており、且つ、押しボタンスイッチが押し込み位置でロックされた状態では、筒状ベース体の前方側端面が、カバー体の前面部に対して同一位置又は前方側に位置するように構成されている。従って、請求項１記載の発明と同様に、ロック状態とされる押し込み位置では、カバー体の前面部が筒状ベース体と同一位置か若しくは筒状ベース体内に没入しており、しかも、筒状ベース体とカバー体との間は微少な間隙に維持されているので、指若しくはドライバー等の治具を用いて、ロック状態を解除すべく押しボタンスイッチを筒状ベース体から引き抜くことは不可能となっている。
【００１１】
請求項３記載の発明は、請求項１記載の押しボタン用ロック解除防止具であって、前記押しボタンスイッチはプッシュ・プル形又はプッシュロック・ターンリセット形押しボタンスイッチであることを特徴とする。
【００１２】
プッシュ・プル形又はプッシュロック・ターンリセット形押しボタンスイッチはスイッチ自体にロック機能を有するので、上記請求項２記載の発明のような第１係合手段及び第２係合手段を設ける必要がなく、構成が簡略化される。
【００１３】
請求項４記載の発明は、請求項１〜３の何れかに記載の押しボタンスイッチ用ロック解除防止具であって、押し込み位置でロックされた押しボタンスイッチを吸着手段又は接着手段によって引き出すことを防止すべく、吸着手段又は接着手段の吸着又は接着を無効にする無効化手段を備えたことを特徴とする。
【００１４】
上記構成により、吸着手段又は接着手段を用いて、押し込み位置でロックされた押しボタンスイッチのロック状態を解除することが防止できる。この結果、より安全性が向上する。なお、「無効化手段を備えた」とは、装置的・構造的手段を設ける場合の他に、所定の材料で成型することも含まれる。機械的・構造的手段としては、例えば、カバー体の前面側表面に吸着無効化溝を形成する場合が該当する。また、所定の材料で成型する場合としては、例えば、カバー体を接着困難な材料で成型する場合が該当する。接着困難な材料としては、ポリエチレン、ポリプロピレン等が挙げられる。
【発明の効果】
【００１５】
本発明に係る押しボタンスイッチ用ロック解除防止具によれば、ロック状態とされる押し込み位置では、押しボタンスイッチの操作面が筒状ベース体と同一位置か若しくは筒状ベース体内に没入しており、しかも、筒状ベース体と押しボタンスイッチの操作部との間は微少な間隙に維持されているので、指若しくはドライバー等の治具を用いて、ロック状態を解除すべく押しボタンスイッチを筒状ベース体から引き抜くことは不可能である。換言すれば、操作パネル盤に取り付けられた状態の押しボタンスイッチのロック状態の解除は不可能な構造となっている。従って、本発明に係るロック解除防止具を用いることにより、従来例のようなリレーやシーケンサ等の回路的な手段ではなく、機械的な簡単な構成で、一旦押し込んで押し込み位置でロック状態にすると、ロック解除不可能な押しボタンスイッチを実現することができる。
【発明を実施するための最良の形態】
【００１６】
以下、本発明に係るロック解除防止具を実施の形態に基づいて詳述する。なお、本発明は、以下の実施の形態に限定されるものではない。
【００１７】
（実施の形態１）
図１及び図２は実施の形態１に係るロック解除防止具を備えた押しボタンスイッチの縦断面図、図３は実施の形態１に係るロック解除防止具を備えた押しボタンスイッチの正面図、図４は図３のＡ−Ａ矢視断面図、図５はロック解除防止具の分解斜視図である。なお、図１は押しボタンスイッチが押し込まれていない状態を示し、図２は押しボタンスイッチが押し込まれた状態を示している。また、図４においては、その下半分に押しボタンスイッチが押し込まれていない状態を描いており、その上半分に押しボタンスイッチが押し込まれた状態を描いている。
【００１８】
１は押しボタンスイッチであり、本実施の形態における押しボタンスイッチは押し込み位置でロックされず、押し込み力を解除すると元の状態に復帰するモメンタリ形スイッチ、若しくは押し込み位置でロックされ、再度押し込むとロック解除されるオルタネイト形スイッチが用いられる。なお、押しボタンスイッチは、これに限定されず、その他のプッシュ・プル形（押しボタンを押し込むとロックし、引くとロック解除）及びプッシュロック・ターンリセット形（押しボタンを押し込むとロックし、回転させるとロック解除）スイッチにも適用することができる。
【００１９】
押しボタンスイッチ１は、押しボタン２を備えた操作部３と、押しボタン２の押し込み操作によって接点の開閉がなされる接点機構を備えたスイッチ本体４と有する。操作部３は操作パネル盤５の前方側に配置され、スイッチ本体４は操作パネル盤５の後方側に配置されている。スイッチ本体４には係止リング６及びロックナット７が装着されている。押しボタンスイッチ１は、操作パネル盤５に挿入された状態で係止リング６及びロックナット７により操作パネル盤５に固定されている。
【００２０】
ここで、注目すべきは、押しボタンスイッチ１にはロック解除防止具１０が装着されていることである。本実施の形態におけるロック解除防止具１０は、押しボタンスイッチ１が押し込まれた場合に押し込み位置でロックする機能と、ロック状態の押しボタンスイッチ１のロック解除を防止する機能を併有している。なお、後述する実施の形態２のように、押しボタンスイッチ１自体にロック機能がある場合には、ロック解除防止具は、押し込み位置でロックする機能を有さず、ロック状態の押しボタンスイッチのロック解除を防止する機能のみを有するものであってもよい。
【００２１】
次いで、本発明の要旨であるロック解除防止具１０の具体的構成について説明する。ロック解除防止具１０は、図５に示すように、押しボタン２を覆う有底円筒状のカバー体１１と、カバー体１１を外囲すると共にカバー体１１を押し込み方向Ｘ（図１参照）に移動自在に支持する円筒状ベース体１２とを備える。このベース体１２内周面とカバー体１１の外周面との間隙は、極めて小さく、指若しくはドライバー等の治具を挿入することが不可能となっている。また、カバー体１１は、押しボタン２の操作面２ａ（図１参照）を覆う前面部１１Ａと、押しボタン２の外周面を覆う筒状部１１Ｂとが一体的に形成されている。カバー体１１及びベース体１２は樹脂成型品である。
【００２２】
カバー体１１の前面部１１Ａは、押しボタン２の操作面２ａに対応した形状とされ、本実施の形態では押しボタン２の操作面２ａが円形であることから、これに対応してカバー体１１の前面部１１Ａは円形とされている。押しボタン２の操作面２ａが角形であれば、これに対応してカバー体１１の前面部１１Ａは角形とされる。
【００２３】
また、カバー体１１の筒状部１１Ａには、その表面にカバー体１１の軸方向と平行に延びる直線状の案内凸部１３が周方向に複数個（本実施の形態では４個）形成されている。一方、この案内凸部１３に対応して、ベース体１２の内周面には、ベース体１２の軸と平行に延びる案内溝１４が周方向に複数個（本実施の形態では４個）形成されている。そして、上記案内凸部１３が案内溝１４に緩やかに嵌り込み、案内溝１４に沿って案内凸部１３が移動することにより、カバー体１１が押し込み方向Ｘに円滑に押し込み操作可能とされている。
【００２４】
また、カバー体１１の筒状部１１Ｂの外周面には一対の抜け止め用突起１５が周方向に１８０度間隔をあけて形成されており、ベース体１２の内周面には抜け止め用突起１５が当接してカバー体１１がベース体１２から抜け出ることを防止する当接部１６が形成されている。なお、押しボタンスイッチ１が押し込まれていない状態では、抜け止め用突起１５が当接部１６に当接している（図４参照）。
【００２５】
また、カバー体１１の筒状部１１Ｂの外周面には、径方向外方に突出した第１係合爪１７が周方向に１８０度間隔をあけて設けられている。そして、第１係合爪１７の両側には、軸方向に平行に延びる切欠き１８が形成されている。一方、第１係合爪１７に対応して、ベース体１２の内周面には、径方向内方に突出し、第１係合爪１７と係合可能な第２係合爪１９が周方向に１８０度間隔をあけて設けられている。この第１係合爪１７と第２係合爪１９とは、後述するように、押しボタン２が押し込まれた場合に係合して押しボタン２を押し込み位置でロックする機能を果たす。
【００２６】
また、カバー体１１の前面部１１Ａの前面側表面には、図３に示すように、放射線状に配置された吸着無効溝２０が形成されている。この吸着無効溝２０は、図６及び図７に示す吸着盤２５をカバー体１１の前面部１１Ａに吸着させて、押し込み位置でロック状態となっている押しボタン２を引き出してロック解除しようとする行為を防止するためのものである。即ち、後述するように、ロック解除防止具１０により、押しボタンスイッチを一度押し込み操作するとその押し込み位置でロックされ、操作者の操作によってはロック状態が解除されない。しかしながら、吸着盤２５をカバー体１１の前面部１１Ａに吸着させて強引に引き出すと、係合状態の第１係合爪１７及び第２係合爪１９が破壊され、押しボタン２のロック状態を解除することが可能である。従って、安全性で問題となる。そこで、本実施の形態のように前面部１１Ａ表面に吸着無効溝２０を形成することにより、吸着盤２５内が真空状態となることを防止している。この結果、吸着盤２５を用いて押しボタン２のロック状態解除行為を防止でき、安全性がより向上する。
【００２７】
なお、吸着無効溝２０は、放射線状に限定されず、例えば図８（１）〜（７）に示す図柄模様に形成してもよい。要は、吸着盤２５がカバー体１１の前面部１１Ａに押し当てられた場合に、その吸着盤２５の大きさ等を考慮して、可能な限り、吸着盤２５がどのような位置で吸着されたとしても、吸着盤２５の吸着領域には吸着領域外に連なる吸着無効溝２０が存在するような図柄模様であればよい。なお、吸着無効化手段としては、溝に限定されるものではなく、前面部１１Ａ表面を凹凸状に形成するようにしてもよい。
【００２８】
また、ベース体１２の基端部には、図５に示すように、内方側に突出した内向きフランジ３０が形成されている。この内向きフランジ３０の内径は、押しボタン２のスイッチ本体４の外径よりも若干大きく設定されている。この内向きフランジ３０には、第１係合爪１７に対応する部位に貫通孔３１が形成されており、後述するように、この貫通孔３１にドライバー３２（図９参照）やピンセット等先端の細いものを挿入して、第１係合爪１７及び第２係合爪１９の係合状態を解除することが可能となっている。
【００２９】
次いで上記構成のロック解除防止具１０の動作について説明する。
例えば、異常発生時に装置の作動を停止するために、押しボタン２を押し込む。具体的には、カバー体１１の前面部１１Ａを介して押し込む。これにより、カバー体１１は押しボタン２と一体的に押し込まれる。このとき、ベース体１２の案内溝１４に沿ってカバー体の案内凸部１３が押し込まれていく。これにより、図１に示すように初期状態で第２係合爪１９よりも前方側に位置している第１係合爪１７が第２係合爪１９に当接し、この状態でさらにカバー体１１を押し込むと、第１係合爪１７が弾性変形し、第２係合爪１９を乗り越えて押し込まれて行く。そして、押しボタン２が所定の押し込み位置に達することにより、スイッチ本体４内で接点が切り換わり、装置の作動が停止する。そして、カバー体１１への押し込みを解除すると、押しボタン２は復帰バネ（図示せず）によって押し込み方向Ｘとは逆方向に移動しようとする。このとき、図２に示すように、第１係合爪１７が第２係合爪１９と係合状態となることにより、カバー体１１がベース体１２にロックされた状態となる。これにより、押しボタンは押し込み方向Ｘとは逆方向への移動が規制されることになり、ロック状態となる。この結果、押しボタン２が元の状態に復帰して接点が切り換わり、装置が作動することが防止される。従って、異常が発生した装置等の停止状態を維持することができ、作業者や保守・点検を行う者の安全が確保される。
【００３０】
このようなロック状態とされる押し込み位置では、カバー体１１の前面部１１Ａがベース体１２内に没入しており、しかも、カバー体１１の外周面とベース体１２内周面の間は微少な間隙に維持されているので、指若しくはドライバー等の治具を用いて、ロック状態を解除すべくカバー体１１をベース体１２から引き抜くことは不可能となっている。この結果、操作パネル盤５に取り付けられた状態での押しボタンスイッチ１のロック状態の解除は不可能な構造となっている。従って、ロック解除防止具１０を用いることにより、従来例のようなリレーやシーケンサ等の回路的な手段ではなく、機械的な簡単な構成で、一旦押し込んで押し込み位置でロック状態にすると、ロック解除不可能な押しボタンスイッチを実現することができる。これにより、装置等の停止状態を維持することが可能となると共に、従来例のリレーやシーケンサ等の回路的な手段に比べてコストの低減を図ることが可能となる。
【００３１】
さらに、カバー体１１の表面に吸着無効化溝２０が形成されていることにより、吸着盤２５をカバー体１１の前面部１１Ａ表面に吸着させて、係合状態の第１係合爪１７及び第２係合爪１９を破壊してでも強引に引き出してロック状態を解除しようとしても、ロック状態を解除することは不可能である。なぜなら、吸着盤２５の吸着領域の内外に吸着無効化溝２０が存在すると、吸着盤２５内が外気と連通しているので吸着盤２５内を真空状態とすることができず、吸着力を得られないことになるからである。
【００３２】
なお、押しボタンスイッチ１のロック状態を解除するためには、押しボタンスイッチ１を操作パネル盤５から取り外し、図９に示すように、貫通孔３１にドライバー３２を挿入して、第１係合爪１７を強制的に弾性変形させて、第２係合爪１９との係合状態を解除すればよい。このようにしてロック解除された押しボタンスイッチ１は、再び操作パネル盤５に取り付けることにより再利用が可能となる。
【００３３】
なお、安全性をより高めるために、上記の例では、吸着盤２５を用いてカバー体１１を引き出すことを防止するために、吸着を無効化する無効化手段として無効化溝２０をカバー体１１の表面に形成した。従って、吸引力を用いた手段に対しての安全対策は施されている。しかしながら、例えば、引き抜き棒とカバー体１１表面とを接着剤によって接着して引き出すことにより、押しボタンスイッチ１のロック状態を解除することも可能である。そこで、かかる接着を無効化するためには、カバー体１１を接着困難な材料、例えばポリエチレン、ポリプロピレン等で成型するのが望ましい。ポリエチレン等は、ぬれにくい性質があるため、接着困難であり、効果的に接着による引き抜きを無効化することが可能となるからである。
【００３４】
（実施の形態２）
図１０及び図１１は実施の形態２に係るロック解除防止具を備えた押しボタンスイッチの縦断面図、図１２は実施の形態２に係るロック解除防止具を備えた押しボタンスイッチの正面図である。なお、図１０は押しボタンを押し込んでいない状態を示し、図１１は押し込み位置でロックされた状態を示している。
【００３５】
本実施の形態２におけるロック解除防止具１０は、上記実施の形態１のロック解除防止具１０のような押し込み位置でロックする機能を有さない。これは、実施の形態２において用いられる押しボタンスイッチ１としては、その押しボタンスイッチ自体で押し込み位置でロックする機能を有する、例えばプッシュ・プル形スイッチが用いられているからである。従って、本実施の形態２に係るロック解除防止具１０は、カバー体１１は存在せず、押しボタン２を外囲する円筒状ベース体１２のみで構成されている。なお、ベース体１２の内周面と押しボタン２の外周面との間は、実施の形態１と同様に、指やドライバー等の治具を挿入できない程度の僅かの隙間を保持している。従って、一旦、押しボタン２を押し込み、押し込み位置でロックされた押しボタンスイッチ１を、操作者がロック解除することは不可能である。つまり、この実施の形態２においても、ロック解除防止具１０を用いることにより、一旦押し込んで押し込み位置でロック状態にすると、ロック解除不可能な押しボタンスイッチを実現することができる。これにより、装置等の停止状態を維持することが可能となる。
【００３６】
なお、本実施の形態２においては、吸着盤２５を用いた吸着を無効化する無効化手段としての無効化溝２０は、押しボタン２の操作面２ａに形成されている。勿論、実施の形態１のようなカバー体１１を用いてもよい。但し、本実施の形態２における押しボタンスイッチは、それ自体で押し込み位置でロックする機能を有するスイッチであるので、実施の形態１のような第１係合爪１７及び第２係合爪１９を設ける必要はない。
【００３７】
（その他の事項）
（１）上記実施の形態においては、第１係合手段として第１係合爪１７、第２係合手段として第２係合爪１９としたけれども、これに限定されず、例えば、第１係合手段として第１係合突起、第２係合手段として第１係合突起が嵌まり込む第２係合凹部とする構成としてもよく、又逆に、第２係合手段として第２係合突起、第１係合手段として第２係合突起が嵌まり込む第１係合凹部とする構成であってもよい。
（２）上記実施の形態１では、押しボタンスイッチ１が押し込み位置でロック状態となっている場合、カバー体１１の前面部１１Ａはベース体１２内に没入されていた。しかし、本発明はこれに限定されず、押しボタンスイッチ１が押し込み位置でロックされた状態では、カバー体１１の前面部１１Ａがベース１２の前方側端面とほぼ同一位置に位置するような構成であってもよい。このように構成しても、操作者の前面側からの操作により押しボタンスイッチ１のロック状態を解除することは不可能である。
また、上記実施の形態２では、押しボタンスイッチ１が押し込み位置でロック状態となっている場合、押しボタン２の操作面２ａはベース体１２内に没入されていた。しかし、本発明はこれに限定されず、押しボタンスイッチ１が押し込み位置でロックされた状態では、押しボタン２の操作面２ａがベース１２の前方側端面とほぼ同一位置に位置するような構成であってもよい。このように構成しても、上記と同様に、操作者の前面側からの操作により押しボタンスイッチ１のロック状態を解除することは不可能である。
要はベース体１２の前方側端面が、押し込み位置でロックされた押しボタンスイッチ１の操作面２ａ（又はカバー体１１の前面部１１Ａ）に対して同一位置又は前方側に位置するように構成されていればよい。
【産業上の利用可能性】
【００３８】
本発明は、操作パネル盤に取り付けられた押しボタンスイッチの操作部に装着され、押しボタンスイッチを一度押し込み操作するとその押し込み位置でロックされ、操作者の前面側からの操作によってはロック状態を解除することを不可能とする機能を備えた押しボタンスイッチを実現するために用いられる。
【図面の簡単な説明】
【００３９】
【図１】実施の形態１に係るロック解除防止具を備えた押しボタンスイッチの縦断面図であって、押しボタンスイッチが押し込まれていない状態を示している。
【図２】実施の形態１に係るロック解除防止具を備えた押しボタンスイッチの縦断面図であって、押しボタンスイッチが押し込まれた状態を示している。
【図３】実施の形態１に係るロック解除防止具を備えた押しボタンスイッチの正面図である。
【図４】図３のＡ−Ａ矢視断面図である。
【図５】実施の形態１に係るロック解除防止具の分解斜視図である。
【図６】吸着盤の正面図である。
【図７】吸着盤の側面図である。
【図８】吸着無効化用溝の他の図柄模様を示す図である。
【図９】操作パネル盤を取り外して押しボタンスイッチの背後側からの操作によってロック状態を解除する動作を説明するための図である。
【図１０】実施の形態２に係るロック解除防止具を備えた押しボタンスイッチの縦断面図であって、押しボタンを押し込んでいない状態を示している。
【図１１】実施の形態２に係るロック解除防止具を備えた押しボタンスイッチの縦断面図であって、押し込み位置でロックされた状態を示している。
【図１２】実施の形態２に係るロック解除防止具を備えた押しボタンスイッチの正面図である。
【図１３】典型なスイッチガードを示す断面図である。
【符号の説明】
【００４０】
１：押しボタンスイッチ              ２：押しボタン
５：操作パネル盤                  １０：ロック解除防止具
１１：カバー体                      １２：ベース体
１１Ａ：前面部                      １１Ｂ：筒状部
１７：第１係合爪                    １９：第２係合爪
２０：吸着無効化溝
【図１】
2007188752.tif 000003
【図２】
2007188752.tif 000004
【図３】
2007188752.tif 000005
【図４】
2007188752.tif 000006
【図５】
2007188752.tif 000007
【図６】
2007188752.tif 000008
【図７】
2007188752.tif 000009
【図８】
2007188752.tif 000010
【図９】
2007188752.tif 000011
【図１０】
2007188752.tif 000012
【図１１】
2007188752.tif 000013
【図１２】
2007188752.tif 000014
【図１３】
2007188752.tif 000015